(57)【要約】【課題】パワーコンディショナ等に大幅な改造やコストの上昇を来すことなく、逆潮流電力を抑制可能な分散型電源のシステム制御装置を提供する。【解決手段】系統と連系する複数のパワーコンディショナＰＣＳが通信線を介して接続される分散型電源のシステム制御装置ＳＣであって、系統に逆潮流可能な電力及び／または時期が設定された発電スケジュールが格納された記憶部と、記憶部に格納された発電スケジュールに基づいて逆潮流可能な電力指令値を各パワーコンディショナＰＣＳに通信線を介して送信する逆潮流電力指令部と、を備えている。【選択図】図１
2016181969.tif 000002
【特許請求の範囲】
【請求項１】
系統と連系する複数のパワーコンディショナが通信線を介して接続される分散型電源のシステム制御装置であって、
系統に逆潮流可能な電力及び／または時期が設定された発電スケジュールが格納された記憶部と、前記記憶部に格納された発電スケジュールに基づいて逆潮流可能な電力指令値を各パワーコンディショナに前記通信線を介して送信する逆潮流電力指令部と、を備えている分散型電源のシステム制御装置。
【請求項２】
前記発電スケジュールは逆潮流可能な電力上限値及びその時間帯が規定され、前記逆潮流電力指令部は前記発電スケジュールに基づいて電力上限値を変更する際に、所定の傾きで逆潮流電力が変化するように算出した電力指令値を各パワーコンディショナに送信するように構成されている請求項１記載の分散型電源のシステム制御装置。
【請求項３】
系統管理サーバと通信回線を介して接続され、前記系統管理サーバから受信した発電スケジュールが前記記憶部に格納されるように構成されている請求項１または２記載の分散型電源のシステム制御装置。
【請求項４】
系統と連系する複数のパワーコンディショナを通信線を介して制御する分散型電源のシステム制御方法であって、
系統に逆潮流可能な電力及び／または時期が設定された発電スケジュールが格納された記憶部から発電スケジュールを読み出す発電スケジュール読出しステップと、
前記発電スケジュール読出しステップで読み出された発電スケジュールに基づいて逆潮流可能な電力指令値を各パワーコンディショナに前記通信線を介して送信する逆潮流電力指令ステップと、を備えている分散型電源のシステム制御方法。
【請求項５】
前記発電スケジュールは逆潮流可能な電力上限値及びその時間帯が規定され、前記逆潮流電力指令ステップは前記発電スケジュールに基づいて電力上限値を変更する際に、所定の傾きで逆潮流電力が変化するように算出した電力指令値を各パワーコンディショナに送信するように構成されている請求項４記載の分散型電源のシステム制御方法。
【請求項６】
請求項１から３の何れかの分散型電源のシステム制御装置に前記通信線を介して接続されるパワーコンディショナであって、
前記システム制御装置から送信された電力指令値を格納する記憶部と、前記記憶部に記憶された電力指令値を超えないように逆潮流電力を調整する出力制御部を備えているパワーコンディショナ。
【発明の詳細な説明】
【技術分野】
【０００１】
本発明は、分散型電源のシステム制御装置、分散型電源のシステム制御方法、及びパワーコンディショナに関する。
【背景技術】
【０００２】
太陽光発電装置、風力発電装置、燃料電池装置等の分散型電源は、三相３線式や単相三線式等の商用電力系統に連系させて使用するために、周波数や電圧を商用電力系統に適合するように直流発電電力を交流電力に変換するパワーコンディショナを備えている。
【０００３】
パワーコンディショナは、分散型電源で生成された直流電圧を所定の直流電圧値に調整するＤＣ／ＤＣコンバータと、ＤＣ／ＤＣコンバータから出力される直流電力を交流電力に変換するインバータと、インバータの出力から高周波成分を除去するＬＣフィルタ等を備えている。
【０００４】
電気事業法第２６条等には、このような分散型電源を低圧配電系統に連系する場合に、低圧需要家設備の受電点の電圧を標準電圧１００Ｖに対して１０１±６Ｖ、標準電圧２００Ｖに対して２０２±２０Ｖ以内の適正値に維持するように規定されている。
【０００５】
しかし、低圧配電系統に複数の分散電源が連系され、各分散電源から系統電源側に有効電力が流れる逆潮流が生じると、各低圧需要家設備の受電点の電圧が上昇し、上述の適正値を逸脱する虞がある。
【０００６】
特許文献１には、逆潮流を発生させる複数の分散電源が接続された低圧配電系統において、規定の電圧の上限値を超えないようにしながら個々の分散電源の発電能力を有効活用することによって、同一バンク内の複数の分散電源全体での有効電力の総出力を増大することが可能な配電系統を提供することを目的として、受電点から柱上変圧器の２次側端子に至る配電経路のインピーダンスを算出し、算出したインピーダンスに応じて各分散電源に備えたインバータから出力される有効電力または無効電力の大きさを調整する構成が開示されている。
【０００７】
特許文献２には、力率の悪化を抑えて高変換効率を維持しつつ電力系統の電圧変動を抑制できる太陽光発電システムにおけるパワーコンディショナの制御方法として、電力系統の系統連系点電圧と電力系統への接続点の検出電圧との電圧差を求め、この電圧差と接続点の検出電圧及び電力系統に流れ込む電流を基に電力系統の電力系統連系点から接続点までの線路定数を求めるとともに、パワーコンディショナの有効電力と無効電力を求め、このパワーコンディショナの有効電力と無効電力及び線路定数から電圧降下値を求め、この電圧降下値がなくなるようにパワーコンディショナの無効電力を制御する構成が開示されている。
【先行技術文献】
【特許文献】
【０００８】
【特許文献１】特開２０１０−２１３５４２号公報
【特許文献２】特開２０１１−５５６７８号公報
【発明の概要】
【発明が解決しようとする課題】
【０００９】
しかし、太陽光発電装置等の分散電源が普及して商用電力系統に系統連係可能な分散電源が増加すると、電力需要の多い昼間であっても供給過剰な状態になり、送電線の受入可能容量を超える虞がある等のため、商用電力系統と系統連係する各パワーコンディショナに、指定時間帯に指定出力に逆潮流電力を抑制制御する機能を備えることが要請されている。
【００１０】
従来の系統電圧上昇抑制制御ではそのような出力抑制に対応できず、個々のパワーコンディショナにそのような機能を新たに組み込む必要があった。
【００１１】
しかし、個々のパワーコンディショナにそのような機能を備えるためには、外部から逆潮流電力の抑制情報を受信する通信装置や、その通信装置で受信した抑制情報に基づいて逆潮流電力を制御する制御装置を備える必要があり、大幅な設計変更を要し、製品コスト等も増加するという問題がった。
【００１２】
本発明の目的は、上述した問題点に鑑み、パワーコンディショナ等に大幅な改造やコストの上昇を来すことなく、逆潮流電力を抑制可能な分散型電源のシステム制御装置、分散型電源のシステム制御方法、及びパワーコンディショナを提供する点にある。
【課題を解決するための手段】
【００１３】
上述の目的を達成するため、本発明による分散型電源のシステム制御装置の第一の特徴構成は、特許請求の範囲の書類の請求項１に記載した通り、系統と連系する複数のパワーコンディショナが通信線を介して接続される分散型電源のシステム制御装置であって、系統に逆潮流可能な電力及び／または時期が設定された発電スケジュールが格納された記憶部と、前記記憶部に格納された発電スケジュールに基づいて逆潮流可能な電力指令値を各パワーコンディショナに前記通信線を介して送信する逆潮流電力指令部と、を備えている点にある。
【００１４】
通信線を介して複数のパワーコンディショナを制御する分散型電源のシステム制御装置が、各パワーコンディショナに電力指令値を出力することで、各パワーコンディショナが受信した電力指令値に応じた逆潮流電力に調整可能になる。つまり、各パワーコンディショナに逆潮流可能な電力及び／または時期が設定された発電スケジュールを入力する必要がなく、そのための専用の通信装置や制御装置を備える必要がなくなる。
【００１５】
同第二の特徴構成は、同請求項２に記載した通り、上述の第一の特徴構成に加えて、前記発電スケジュールは逆潮流可能な電力上限値及びその時間帯が規定され、前記逆潮流電力指令部は前記発電スケジュールに基づいて電力上限値を変更する際に、所定の傾きで逆潮流電力が変化するように算出した電力指令値を各パワーコンディショナに送信するように構成されている点にある。
【００１６】
システム制御装置が発電スケジュールに基づいて各パワーコンディショナの逆潮流電力を一時に切り替えると、系統電圧等が大きく変動する虞がある。しかし、システム制御装置から各パワーコンディショナに所定の傾きで逆潮流電力が変化するように算出した電力指令値が送信されると、各パワーコンディショナが個々に電力指令値に応じた逆潮流電力に調整可能になる。このとき、パワーコンディショナには単に通信線を介して入力された電力指令値に逆潮流電力を調整するように動作する機能を制御部に付加するだけでよい。
【００１７】
同第三の特徴構成は、同請求項３に記載した通り、上述の第一または第二の特徴構成に加えて、系統管理サーバと通信回線を介して接続され、前記系統管理サーバから受信した発電スケジュールが前記記憶部に格納されるように構成されている点にある。
【００１８】
逆潮流電力の抑制スケジュールが系統管理サーバから通信回線を介してシステム制御装置に送信されてシステム制御装置の記憶部に格納され、その抑制スケジュールに基づいてシステム制御装置の逆潮流電力指令部から各パワーコンディショナに電力指令値が送信される。従って、系統管理サーバから逆潮流電力の抑制スケジュールを送信するための通信装置を各パワーコンディショナに設ける必要がない。
【００１９】
本発明による分散型電源のシステム制御方法の第一の特徴構成は、同請求項４に記載した通り、系統と連系する複数のパワーコンディショナを通信線を介して制御する分散型電源のシステム制御方法であって、系統に逆潮流可能な電力及び／または時期が設定された発電スケジュールが格納された記憶部から発電スケジュールを読み出す発電スケジュール読出しステップと、前記発電スケジュール読出しステップで読み出された発電スケジュールに基づいて逆潮流可能な電力指令値を各パワーコンディショナに前記通信線を介して送信する逆潮流電力指令ステップと、を備えている点にある。
【００２０】
同第二の特徴構成は、同請求項５に記載した通り、上述の第一の特徴構成に加えて、前記発電スケジュールは逆潮流可能な電力上限値及びその時間帯が規定され、前記逆潮流電力指令ステップは前記発電スケジュールに基づいて電力上限値を変更する際に、所定の傾きで逆潮流電力が変化するように算出した電力指令値を各パワーコンディショナに送信するように構成されている点にある。
【００２１】
本発明によるパワーコンディショナの第一の特徴構成は、同請求項６に記載した通り、上述した第一から第三の何れかの特徴構成を備えた分散型電源のシステム制御装置に前記通信線を介して接続されるパワーコンディショナであって、前記システム制御装置から送信された電力指令値を格納する記憶部と、前記記憶部に記憶された電力指令値を超えないように逆潮流電力を調整する出力制御部を備えている点にある。
【発明の効果】
【００２２】
以上説明した通り、本発明によれば、パワーコンディショナ等に大幅な改造やコストの上昇を来すことなく、逆潮流電力を抑制可能な分散型電源のシステム制御装置、分散型電源のシステム制御方法、及びパワーコンディショナを提供することができるようになった。
【図面の簡単な説明】
【００２３】
【図１】システム制御装置と複数のパワーコンディショナがネットワーク接続された分散型電源のシステム構成図
【図２】（ａ）はパワーコンディショナのブロック構成図、（ｂ）分散型電源のシステム制御装置のブロック構成図
【図３】図１のシステム制御装置が１台のパワーコンディショナに組み込まれた分散型電源のシステム構成図
【図４】複数の系統線に備えたシステム制御装置が共通のゲートウェイを介して系統管理サーバに接続された分散型電源のシステム構成図
【発明を実施するための形態】
【００２４】
以下、本発明による分散型電源のシステム制御装置、分散型電源のシステム制御方法、及びパワーコンディショナを図面に基づいて説明する。
【００２５】
図２（ａ）には、太陽光発電装置１とパワーコンディショナＰＣＳとで構成される分散型電源が示されている。パワーコンディショナＰＣＳは、連系リレーＲｙを介して系統電源１００に接続されている。尚、以下の説明ではパワーコンディショナＰＣに接続される発電装置が太陽光発電装置１である場合を説明するが、風力発電装置や燃料電池等の他の発電装置であっても本発明を適用することができる。
【００２６】
パワーコンディショナＰＣＳは、太陽光発電装置１の直流出力電圧を所定の直流電圧値に変換するＤＣ／ＤＣコンバータ２と、ＤＣ／ＤＣコンバータ２から出力された直流電力を交流電力に変換するインバータ３と、インバータ３をＰＷＭ制御するインバータ制御部４と、インバータ３の出力から高調波を除去するＬＣフィルタ５等を備えている。
【００２７】
インバータ制御部４は、系統電圧／電流センサ６によって検知される系統電圧及び電流に基づいて、系統と連系可能なようにインバータ３をＰＷＭ制御するように構成されている。さらに、通信部Ｃ２を介して入力された電力指令値を格納する記憶部を備え、当該記憶部に記憶された電力指令値に基づいてインバータ制御部４に逆潮流電力の抑制値を出力する出力抑制部１０を備えている。
【００２８】
インバータ制御部４と出力抑制部１０により、記憶部に記憶された電力指令値を超えないように逆潮流電力を調整する出力制御部４，１０が構成されている。例えば、電力指令値が定格出力の５０％に設定されていると、出力制御部はインバータ３から出力され系統に逆潮流される電力が定格出力の５０％になるように制御するように構成されている。
【００２９】
系統電圧／電流センサ６の出力はインバータ制御部４の他に単独運転検知部７に入力され、単スリップモード周波数シフト方式や無効電力変動方式等の能動的方式に基づいて独運転状態か否かが検知される。
【００３０】
単独運転検知部７が系統電圧／電流センサ６によって検知される系統電圧及び電流に対して出力電流位相に与える変動成分を算出してインバータ制御部４に出力すると、インバータ制御部４はインバータ３を制御して単独運転検知のための変動成分が付加された交流電力を、系統リレーＲｙを介して系統に出力する。単独運転検知部７は、このときに系統電圧／電流センサ６によって検知される系統電圧電流の変動の程度によって単独運転状態にあるか否かを判定する。
【００３１】
単独運転検知部７によって単独運転状態にあると判定されると、系統連系保護部８によって系統リレーＲｙが切断されてパワーコンディショナＰＣＳが系統電源から切り放され、インバータ制御部４によってインバータが停止される。
【００３２】
上述のパワーコンディショナＰＣＳは、同一の系統電源に複数台接続され、通信部Ｃ２を介してシステム制御装置により統括制御されるようなネットワーク構成が実現できるように、同期信号生成／処理部９をさらに備えている。
【００３３】
同期信号生成／処理部９は、パワーコンディショナＰＣＳが同期マスターとして機能する場合に、系統電源周波数と同期した周波数の方形波である同期信号をスレーブ側のパワーコンディショナＰＣＳに出力するように構成され、パワーコンディショナＰＣＳがスレーブとして機能する場合には、同期マスター側のパワーコンディショナＰＣＳから出力される同期信号を入力して、当該同期信号に同期して系統電源との連系制御を行なうように構成されている。
【００３４】
本実施形態で用いる連系制御とは、同期信号が入力されているときにスレーブとして機能するパワーコンディショナＰＣＳが連系リレーＲｙを閉じて系統電源と連系するようにインバータ３を駆動する制御、単独運転検知のために同期信号に同期して同じ方向に出力電流の位相を変動させる制御、同期信号が停止すると連系リレーＲｙを開いて解列してインバータ３を停止する制御をいい、同期マスターとして機能するパワーコンディショナＰＣＳがシステム制御装置から系統電源との連系指令を受信すると、同期信号を生成して出力する制御等をいう。
【００３５】
インバータ制御部４、単独運転検知部７、系統連系保護部８、同期信号生成／処理部９、出力抑制部１０、出力抑制制御部４，１０、通信部Ｃ２の各機能ブロックは、マイクロコンピュータ及び記憶部（メモリ）や入出力デバイス等のハードウェアと、マイクロコンピュータで実行されメモリに記憶された制御プログラム等のソフトウェアで構成されている。
【００３６】
図２（ｂ）には、システム制御装置ＳＣの機能ブロック構成が示されている。システム制御装置ＳＣは、各パワーコンディショナＰＣＳの制御定数を設定する制御定数設定部１１、各パワーコンディショナＰＣＳを起動または停止制御する起動／停止制御部１２、各パワーコンディショナＰＣＳの履歴を管理する歴管理部１３、逆潮流電力指令部１４、各部で必要な制御定数や逆潮流電力指令値を含む管理情報を記憶する記憶部１６、各パワーコンディショナＰＣＳと通信するとともに、ゲートウェイを介して商用系統の状態を管理する系統管理サーバ２０と通信する通信部Ｃ１を備えている。
【００３７】
制御定数設定部１１で設定される制御定数は、各パワーコンディショナＰＣＳで用いられる交流過電圧（ＯＶＲ）検出閾値等の各種の整定値である。
【００３８】
システム制御装置ＳＣを構成する各機能ブロックも、パワーコンディショナＰＣＳの制御部と同様にマイクロコンピュータ及び記憶部（メモリ）や入出力デバイス等のハードウェアと、マイクロコンピュータで実行されメモリに記憶された制御プログラム等のソフトウェアで構成されている。
【００３９】
通信部Ｃ１，Ｃ２はＲＳ４８５規格等に基づいて２線式の半二重シリアル通信を行なうためのインタフェースであり、親局として機能するシステム制御装置ＳＣからの各ポーリングに、子局であるパワーコンディショナＰＣＳが応答するポーリング／セレクティング方式で相互にデータが送受信される。そのため、各パワーコンディショナＰＣＳには予め固有のＩＤが設定されている。
【００４０】
システム制御装置ＳＣから送信されるフレームデータを構成するヘッダー部に各ＩＤが設定され、データ部に起動／停止／電圧抑制指令等のコマンドが設定される。データ部がヌルである場合にポーリングコマンドとなる。各パワーコンディショナＰＣＳは自己に設定されたＩＤを含むポーリングコマンドを受信すると、自己の状態を示すステータス情報をデータ部に書き込んで返信する。ステータス情報には時刻情報、正常または異常の何れかのステータスコード、及び異常の場合には異常コードが送信され、正常の場合には停止または起動等のサブコードが送信される。
【００４１】
管理者がシステム制御装置ＳＣの操作部に備えた各種の操作スイッチを操作することにより、各パワーコンディショナＰＣＳに対する統括制御が実行される。例えば、起動スイッチが操作されると、各パワーコンディショナＰＣＳに対して起動指令が送信されて統括制御が開始され、停止スイッチが操作されると各パワーコンディショナＰＣＳに対して停止指令が送信されて統括制御が終了する。
【００４２】
図１（ａ）には、システム制御装置ＳＣに、同期マスターとして機能する１台のパワーコンディショナＭ−ＰＣＳと、スレーブとして機能する７台のパワーコンディショナＳ−ＰＣＳが通信線（ＲＳ４８５）を介して接続された構成が示されている。
【００４３】
通信線（ＲＳ４８５）にはゲートウェイが接続され、ＷｉＦｉ等の無線通信媒体または有線の通信媒体を介して電力会社の系統管理サーバ２０と通信可能に構成されている。
【００４４】
さらに通信線（ＲＳ４８５）にはモニタＰＣが接続され、システム制御装置ＳＣで管理される各パワーコンディショナＰＣＳの情報がモニタＰＣを介して遠隔地の管理者の端末と無線または有線の通信媒体を介して接続可能に構成されている。
【００４５】
パワーコンディショナＭ−ＰＣＳの同期信号生成／処理部９（図２（ａ）参照）から出力される同期信号が同期信号線を介して各パワーコンディショナＳ−ＰＣＳに入力され、各パワーコンディショナＭ−ＰＣＳ，Ｓ−ＰＣＳが連系リレーＲｙ（図３（ａ）参照）を介して系統線に接続されている。
【００４６】
パワーコンディショナＭ−ＰＣＳの同期信号生成／処理部９では、系統電圧の周波数と同期した同一周波数の方形波が生成され、各パワーコンディショナＳ−ＰＣＳの同期信号生成／処理部９に入力される。
【００４７】
管理者がシステム制御装置ＳＣの操作部に備えた起動スイッチを操作すると、システム制御装置ＳＣから各パワーコンディショナＭ−ＰＣＳ，Ｓ−ＰＣＳに起動コマンドが送信され、各パワーコンディショナＭ−ＰＣＳ，Ｓ−ＰＣＳが起動される。
【００４８】
同期マスターとして機能するパワーコンディショナＭ−ＰＣＳは、連系リレーＲｙを閉じて、系統電圧／電流センサ６で検知された系統電圧及び電流に基づいて連系可能なようにインバータ３を制御するとともに、同期信号を生成して同期信号線に出力する。
【００４９】
スレーブとして機能するパワーコンディショナＳ−ＰＣＳは同期信号が入力されると、連系リレーＲｙを閉じて、系統電圧／電流センサ６で検知された系統電圧及び電流に基づいて連系可能なようにインバータ３を制御する。
【００５０】
各パワーコンディショナＭ−ＰＣＳ，Ｓ−ＰＣＳに備えた単独運転検知部７は、同期信号に同期して同じ方向に出力電流の位相を変動させるように制御して単独運転状態か否かを検知する。
【００５１】
単独運転検知部７によって単独運転状態にあると判定されたパワーコンディショナＳ−ＰＣＳは解列または停止して、その要因と解列または停止した状態をシステム制御装置ＳＣに送信する。システム制御装置ＳＣは、パワーコンディショナＳ−ＰＣＳから送信された情報を記憶部１６に記憶するとともに、モニタＰＣに出力する。
【００５２】
システム制御装置ＳＣの記憶部１６には、ゲートウェイを介して電力会社の系統管理サーバ２０から送信された発電スケジュールを格納する格納領域が設定されている。逆潮流電力指令部１４は、系統管理サーバ２０から送信された発電スケジュールを記憶部１６に記憶し、当該発電スケジュールに基づいて各パワーコンディショナＰＣＳに逆潮流可能な電力指令値を出力するように構成されている。
【００５３】
発電スケジュールとは、系統を管理する電力会社によって定められ、系統に逆潮流可能な電力及び時期、具体的には最大電力及び時間帯が設定された発電スケジュールで、例えばパワーコンディショナＰＣＳが設置された地域毎に設定され、時間帯毎に逆潮流可能な最大電力が規定された発電カレンダーである。
【００５４】
本発明に規定する「逆潮流可能な電力」とは、電力値そのものであってもよいし、定格容量に対する比率（電力比率）で表した数値であってもよい。電力比率で表せば、定格容量が異なる個々のパワーコンディショナを考慮する必要がなくなる。また、「電力指令値」も同様に電力値そのものであってもよいし、定格容量に対する比率（電力比率）で表した数値であってもよい。
【００５５】
逆潮流電力指令部１４が、当該発電スケジュールに指定された時刻になり、最大電力を指令値として各パワーコンディショナＰＣＳに送信すると、当該指令値を受信した各パワーコンディショナＰＣＳの出力抑制部１０からインバータ制御部４に逆潮流可能な最大電力が出力され、インバータ制御部４によって逆潮流d電力が指令値に対応した最大電力に抑制される。
【００５６】
ここで、逆潮流電力指令部１４から発電スケジュールに指定された時刻に指定された最大電力を指令値として出力すると、各パワーコンディショナが一斉に応答して系統の状態が一時的に大きく変動する虞がある。
【００５７】
そのため、逆潮流電力指令部１４は、発電スケジュールに基づいて電力上限値を変更する際に、所定の傾きで逆潮流電力が次第に変化するように算出した電力指令値を所定時間毎に各パワーコンディショナＰＣＳに送信するように構成されている。
【００５８】
例えば、逆潮流電力指令部１４は、時刻Ｔ１からＴ２までの間、逆潮流電力を１００％から５０％に抑制する必要がある場合に、時刻Ｔ１から所定の時間ΔＴをかけて１００％から５０％に徐々に抑制するように、ΔＴ／ｎ（ｎは自然数）時間毎に徐々に値が低下した指令値を出力する。所定時間ΔＴは特に限定される値ではなく任意であり、例えば数分から十数分の値である。この値は系統管理サーバ２０から送信されるように構成されていてもよい。またΔＴ／ｎは、数ミリ秒から数秒の値である。
【００５９】
このような発電スケジュールは、天候等に基づいて電力会社により日々更新可能に設定され、逆潮流電力指令部１４は系統管理サーバ２０から発電スケジュールを受信する度に記憶部１６に格納した発電スケジュールを更新格納するように構成されている。
【００６０】
図１に示した分散型電源システムでは、システム制御装置ＳＣとパワーコンディショナＰＣＳが別の装置として構成された例を説明したが、パワーコンディショナＰＣＳにシステム制御装置ＳＣとしての機能を組込んでもよい。
【００６１】
図３には、同期マスターとして機能するパワーコンディショナＭ−ＰＣＳにシステム制御装置ＳＣが組み込まれ、当該パワーコンディショナＭ−ＰＣＳが通信親局として機能するように構成された例が示されている。
【００６２】
図４に示すように、複数台のパワーコンディショナＰＣＳとネットワーク接続されたシステム制御装置ＳＣの複数が同一のゲートウェイを介して系統管理サーバ２０から受信した発電スケジュールを共有するように構成されていてもよい。
【００６３】
系統管理サーバ２０から受信する発電スケジュールは、系統に逆潮流可能な電力及び／または時期が設定されていればよく、例えば逆潮流可能な最大電力のみの発電スケジュールであってもよいし、逆潮流可能な最大電力が固定され、その時間帯のみの発電スケジュールであってもよい。
【００６４】
上述した実施形態では、システム制御装置ＳＣと系統管理サーバ２０とがゲートウェイを介して直接接続された例を説明したが、システム制御装置ＳＣとパワーコンディショナＰＣＳの管理者のサーバとが接続され、管理者のサーバと系統管理サーバ２０とが接続される構成であってもよい。この場合、モニタＰＣを設ける必要はない。尚、管理者とは分散電源の所有者または分散電源の製造者の何れかを意味する。
【００６５】
上述した実施形態では、同期マスターとして機能するパワーコンディショナＭ−ＰＣＳが単独運転検出のための同期信号を出力する態様を説明したが、この様な態様を採用せず、各パワーコンディショナが個々に単独運転検出を行なうような構成であってもよい。
【００６６】
システム制御装置ＳＣは、系統に逆潮流可能な電力及び／または時期が設定された発電スケジュールが格納された記憶部と、記憶部に格納された発電スケジュールに基づいて逆潮流可能な電力指令値を各パワーコンディショナに通信線を介して送信する逆潮流電力指令部とを備えていればよく、上述した履歴管理部等の他の機能を備えていない単機能の構成であってもよい。
【００６７】
以上説明した通り、本発明による分散型電源のシステム制御方法は、逆潮流電力指令部１４により実行され、系統に逆潮流可能な電力及び／または時期が設定された発電スケジュールが格納された記憶部から発電スケジュールを読み出す発電スケジュール読出しステップと、発電スケジュール読出しステップで読み出された発電スケジュールに基づいて逆潮流可能な電力指令値を各パワーコンディショナに通信線を介して送信する逆潮流電力指令ステップと、を備えている。
【００６８】
発電スケジュールは逆潮流可能な電力上限値及びその時間帯が規定され、逆潮流電力指令ステップは発電スケジュールに基づいて電力上限値を変更する際に、所定の傾きで逆潮流電力が変化するように算出した電力指令値を各パワーコンディショナに送信するように構成されている。
【００６９】
また、本発明によるパワーコンディショナは、システム制御装置ＳＣから送信された電力指令値を格納する記憶部と、記憶部に記憶された電力指令値を超えないように逆潮流電力を調整する出力制御部を備えている。
【００７０】
以上、本発明による分散型電源のシステム制御装置、分散型電源のシステム制御方法、及びパワーコンディショナの複数の実施形態を説明したが、上述した各実施形態は本発明の一例に過ぎず、本発明の作用効果を奏する範囲において各ブロックの具体的構成等を適宜変更設計できることは言うまでもない。
【符号の説明】
【００７１】
１：太陽光発電装置
２：ＤＣ／ＤＣコンバータ
３：インバータ
４：インバータ制御部
５：ＬＣフィルタ
６：系統電圧/電流センサ
７：単独運転検知部
８：系統連系保護部
９：同期信号生成／処理部
１０：出力抑制部
１４：逆潮流電力指令部
Ｃ１，Ｃ２：通信部
ＰＣＳ：パワーコンディショナ
ＳＣ：システム制御装置
【図１】
2016181969.tif 000003
【図２】
2016181969.tif 000004
【図３】
2016181969.tif 000005
【図４】
2016181969.tif 000006